(57)【特許請求の範囲】
【請求項１】
温度センサによって検出された温度が予め設定された危険温度以上になったときに、光源ランプを強制的に消灯させる手段を備えた投射型映像表示装置において、
予め設定された危険温度より若干低い温度が温度異常判定用閾値として設定されており、温度センサによって検出された温度が温度異常判定用閾値以上になったか否かを判別する第１手段と、
第１手段によって、温度センサによって検出された温度が温度異常判定用閾値以上となったと判別されたときには、１画面分の映像表示領域よりも入力映像の表示領域が小さくなるように入力映像のサイズを縮小した後に、温度異常であることを示す警告メッセージを入力映像の表示領域と重ならないように投影画像として表示させる第２手段と、
第２手段によって警告メッセージが表示された後、一定時間が経過したときには、温度センサによって検出された温度が温度異常判定用閾値以上となっているか否かを判別する第３手段と、
第３手段により、温度センサによって検出された温度が温度異常判定用閾値以上となっていると判別された場合には、警告メッセージを消去するとともに入力映像のサイズを元に戻した後、入力映像の表示領域内に警告アイコンを表示させる第４手段と、
を備えていることを特徴とする投射型映像表示装置。
【請求項２】
光源ランプの交換時期に達しているか否かを判別する第１手段と、
第１手段により、光源ランプの交換時期に達していると判別されたときには、１画面分の映像表示領域よりも入力映像の表示領域が小さくなるように入力映像のサイズを縮小した後に、ランプ交換を促すメッセージを入力映像の表示領域と重ならないように投影画像として表示させる第２手段と、
第２手段によってランプ交換を促すメッセージが表示された後、一定時間が経過したときには、当該メッセージを消去するとともに入力映像のサイズを元に戻した後、入力映像の表示領域内にランプ交換を促すアイコンを表示させる第３手段と、
を備えていることを特徴とする投射型映像表示装置。
【発明の詳細な説明】
【技術分野】
【０００１】
この発明は、液晶プロジェクタ、ＤＬＰプロジェクタ等の投射型映像表示装置に関する。
【背景技術】
【０００２】
従来の液晶プロジェクタでは、液晶プロジェクタの内部温度が予め定められた危険温度に達した場合には、温度上昇を防止するために、光源ランプを強制的に消灯させるようにしている。この場合には、光源ランプを強制的に消灯した際に、液晶プロジェクタ本体上の所定のＬＥＤが点灯せしめられるが、光源ランプが強制的に消灯せしめられる前に温度異常が発生していることはユーザに通知されない。このため、ユーザにとっては、鑑賞中に突然、投射映像が消えるので、その原因が分かりにくいという問題がある。
【０００３】
また、従来の液晶プロジェクタでは、ランプ交換時期になると、液晶プロジェクタ本体上の所定のＬＥＤを点灯させることによって、ランプ交換時期になったことをユーザに通知している。しかしながら、液晶プロジェクタが天吊り設置等されていることにより、ＬＥＤ表示が見にくい場合には、ＬＥＤ表示にユーザが気がつかない場合がある。
【発明の開示】
【発明が解決しようとする課題】
【０００４】
この発明は、液晶プロジェクタの内部温度が予め定められた危険温度に達する前に、温度異常であることをユーザが確実に認識できるようになり、ユーザになんらかの回避処置を促すことができるとともに、その後に光源ランプが強制的に消灯せしめられても、その原因をユーザが把握しやすくなる投射型映像表示装置を提供することを目的とする。
【０００５】
また、この発明は、ランプ交換時期になったことをユーザが確実に認識できるようになる投射型映像表示装置を提供することを目的とする。
【課題を解決するための手段】
【０００６】
請求項１に記載の発明は、温度センサによって検出された温度が予め設定された危険温度以上になったときに、光源ランプを強制的に消灯させる手段を備えた投射型映像表示装置において、予め設定された危険温度より若干低い温度が温度異常判定用閾値として設定されており、温度センサによって検出された温度が温度異常判定用閾値以上になったか否かを判別する第１手段と、第１手段によって、温度センサによって検出された温度が温度異常判定用閾値以上となったと判別されたときには、１画面分の映像表示領域よりも入力映像の表示領域が小さくなるように入力映像のサイズを縮小した後に、温度異常であることを示す警告メッセージを入力映像の表示領域と重ならないように投影画像として表示させる第２手段と、第２手段によって警告メッセージが表示された後、一定時間が経過したときには、温度センサによって検出された温度が温度異常判定用閾値以上となっているか否かを判別する第３手段と、第３手段により、温度センサによって検出された温度が温度異常判定用閾値以上となっていると判別された場合には、警告メッセージを消去するとともに入力映像のサイズを元に戻した後、入力映像の表示領域内に警告アイコンを表示させる第４手段とを備えていることを特徴とする。
【０００７】
請求項２に記載の発明は、光源ランプの交換時期に達しているか否かを判別する第１手段と、第１手段により、光源ランプの交換時期に達していると判別されたときには、１画面分の映像表示領域よりも入力映像の表示領域が小さくなるように入力映像のサイズを縮小した後に、ランプ交換を促すメッセージを入力映像の表示領域と重ならないように投影画像として表示させる第２手段と、第２手段によってランプ交換を促すメッセージが表示された後、一定時間が経過したときには、当該メッセージを消去するとともに入力映像のサイズを元に戻した後、入力映像の表示領域内にランプ交換を促すアイコンを表示させる第３手段とを備えていることを特徴とする。
【発明の効果】
【００１０】
請求項１に記載の発明によれば、温度センサによって検出された温度が温度異常判定用閾値以上となったと判別されたときには、１画面分の映像表示領域よりも入力映像の表示領域が小さくなるように入力映像のサイズが縮小せしめられた後に、温度異常であることを示す警告メッセージが入力映像の表示領域と重ならないように投影画像として表示されるので、液晶プロジェクタの内部温度が予め定められた危険温度に達する前に、温度異常であることをユーザが確実に認識できるようになる。この結果、ユーザになんらかの回避処置を促すことができるとともに、その後に光源ランプが強制的に消灯せしめられても、その原因をユーザが把握しやすくなる。また、警告メッセージによって本来の映像が見にくくなるのを防止できる。
さらに、警告メッセージが表示された後、一定時間が経過したときに、温度センサによって検出された温度が温度異常判定用閾値以上となっている場合には、警告メッセージが消去されるとともに入力映像のサイズが元に戻された後、入力映像の表示領域内に警告アイコンが表示されるので、入力映像が見にくい状態が長期にわたって継続するのが防止されるとともに、なおかつ温度異常であることをユーザに通知することができる。
【００１１】
請求項２に記載の発明によれば、光源ランプの交換時期に達していると判別されたときには、１画面分の映像表示領域よりも入力映像の表示領域が小さくなるように入力映像のサイズが縮小せしめせれた後に、ランプ交換を促すメッセージが入力映像の表示領域と重ならないように投影画像として表示されるので、ランプ交換時期になったことをユーザが確実に認識できるようになる。また、ランプ交換を促すメッセージによって本来の映像が見にくくなるのを防止できる。
さらに、ランプ交換を促すメッセージが表示された後、一定時間が経過したときに、当該メッセージを消去されるともに入力映像のサイズが元に戻された後、入力映像の表示領域内にランプ交換を促すアイコンが表示されるので、入力映像が見にくい状態が長期にわたって継続するのが防止されるとともに、なおかつランプ交換時期になったことをユーザに通知することができる。
【発明を実施するための最良の形態】
【００１４】
以下、図面を参照して、この発明を液晶プロジェクタに適用した場合の実施例について説明する。
【実施例１】
【００１５】
図１は、液晶プロジェクタの構成を示している。
【００１６】
入力映像信号（Ｒ，Ｇ，Ｂ信号）は、映像信号処理回路１に送られる。映像信号処理回路１では、入力映像信号に対して所定の信号処理が施されるとともに、ＯＳＤ発生回路２からＯＳＤ信号が送られてきている場合には、信号処理後の映像信号にＯＳＤ信号が重畳される。
【００１７】
映像信号処理回路１によって得られた映像信号は、ライトバルブ（液晶パネル）３に送られる。なお、４は集光レンズ等の入射側光学系であり、５は投射レンズ等の出射側光学系である。
【００１８】
マイコン１０は、映像信号処理回路１、ＯＳＤ発生回路２および光源ランプ１２を駆動するランプドライバ１１を制御する。マイコン１０には、リモコンからのリモコン信号や、本体操作部からの操作信号が入力される。
【００１９】
また、マイコン１０には、温度センサ２１、２２が接続されている。この例では、温度センサ２１は光源ランプ１２の近傍に配置されており、温度センサ２２はライトバルブ３の近傍に配置されている。なお、温度センサの数および配置位置は、自由に設定することができる。図示しないが、液晶プロジェクタ内には、冷却ファンが設けられている。マイコン１０は、温度センサ２１、２２の一方または両方の検出温度に基づいて、冷却ファンの回転数を制御する。
【００２０】
この実施例では、マイコン１０は、温度センサ２１の検出温度が所定の閾値ＴＨＡ１以上になったとき、または温度センサ２２の検出温度が所定の閾値ＴＨＢ１以上になったときには、何らかの異常により温度が危険温度に達したと判別して、光源ランプ１２を強制的に消灯させる。
【００２１】
また、マイコン１０は、温度センサ２１の検出温度Ｔａが上記閾値ＴＨＡ１より若干低い値に設定された閾値ＴＨＡ２（ＴＨＡ２＜ＴＨＡ１）以上になったとき、または温度センサ２２の検出温度Ｔｂが上記閾値ＴＨＢ１より若干低い値に設定された閾値ＴＨＢ２（ＴＨＢ２＜ＴＨＢ１）以上になったときには、温度が危険温度に達する可能性が高いと判別し、温度異常をユーザに通知するための警告メッセージを投影画像として表示させる。この際、警告メッセージによって本来の映像が見にくくなるのを防止するとともに、警告メッセージが認識されやすくするために、１画面分の映像表示領域よりも入力映像の表示領域が小さくなるように入力映像のサイズを縮小し、温度異常であることを示す警告メッセージを入力映像の表示領域と重ならないように投影画像として表示させるようにしている。
【００２２】
そして、一定時間が経過しても、温度センサ２１の検出温度Ｔａが閾値ＴＨＡ２（ＴＨＡ２＜ＴＨＡ１）以上であるか、または温度センサ２２の検出温度Ｔｂが閾値ＴＨＢ２（ＴＨＢ２＜ＴＨＢ１）以上である場合には、警告メッセージを消去するとともに本来表示すべき映像のサイズを元に戻し、入力映像の表示領域内に温度異常を表す警告アイコンを表示させるようにしている。
【００２３】
したがって、ユーザは液晶プロジェクタの内部温度が危険温度に達する前に温度異常になったことを確実に認識することができるようになる。また、この後に、液晶プロジェクタの各温度センサによって検出された温度が、その温度センサ毎に設定された危険温度に達することにより、光源ランプが強制的に消灯せしめられたとしても、ユーザはその原因を把握することできる。
【００２４】
この実施例では、マイコン１０は、光源ランプ１２の交換時期を液晶プロジェクタの稼働積算時間から判別する機能を備えている。マイコン１０は、光源ランプ１２の交換時期に達したと判別した場合には、ランプ交換を促すメッセージを投影画像として表示させる。この際、ランプ交換を促すメッセージによって本来の映像が見にくくなるのを防止するとともに、ランプ交換を促すメッセージが認識されやすくするために、１画面分の映像表示領域よりも入力映像の表示領域が小さくなるように入力映像のサイズを縮小し、ランプ交換を促すメッセージを入力映像の表示領域と重ならないように投影画像として表示させるようにしている。
【００２５】
そして、一定時間が経過しても、ランプ交換が行なわれてない場合には、ランプ交換を促すメッセージを消去するとともに本来表示すべき映像のサイズを元に戻し、入力映像の表示領域内にランプ交換を促すアイコンを表示させるようにしている。
【００２６】
したがって、ユーザはランプ交換時期になったことを確実に認識することができるようになる。
【００２７】
図２は、マイコン１０によって行なわれる温度異常通知処理の手順を示している。
【００２８】
まず、温度センサ２１、２２の検出温度Ｔａ、Ｔｂを取り込む（ステップＳ１）。そして、検出温度Ｔａが閾値ＴＨＡ２以上であるか否かを判別する（ステップＳ２）。検出温度Ｔａが閾値ＴＨＡ２未満である場合には、検出温度Ｔｂが閾値ＴＨｂ２以上であるか否かを判別する（ステップＳ３）。検出温度Ｔｂが閾値ＴＨｂ２未満である場合には、温度異常ではないと判別し、ステップＳ１に戻る。
【００２９】
上記ステップＳ２において検出温度Ｔａが閾値ＴＨＡ２以上であると判別した場合または上記ステップＳ３において、検出温度Ｔｂが閾値ＴＨｂ２以上であると判別した場合には、温度異常であると判断し、１画面分の映像表示領域よりも入力映像の表示領域が小さくなるように入力映像のサイズを縮小するとともに（ステップＳ４）、温度異常であることを示す警告メッセージを入力映像の表示領域と重ならないように投影画像として表示させる（ステップＳ５）。具体的には、縮小後の入力映像の表示領域と重ならないようにＯＳＤ画像である警告メッセージを映像信号に重畳させる。したがって、投影画像は、図３（ａ）の状態から図３（ｂ）の状態に変化する。
【００３０】
この後、一定期間が経過すると（ステップＳ６）、温度センサ２１、２２の検出温度Ｔａ、Ｔｂを取り込む（ステップＳ７）。そして、検出温度Ｔａが閾値ＴＨＡ２以上であるか否かを判別する（ステップＳ８）。検出温度Ｔａが閾値ＴＨＡ２未満である場合には、検出温度Ｔｂが閾値ＴＨｂ２以上であるか否かを判別する（ステップＳ９）。
【００３１】
上記ステップＳ８において検出温度Ｔａが閾値ＴＨＡ２以上であると判別した場合または上記ステップＳ９において、検出温度Ｔｂが閾値ＴＨｂ２以上であると判別した場合には、温度異常状態が継続していると判断し、警告メッセージを消去するとともに（ステップＳ１０）、映像サイズを元に戻した後（ステップＳ１１）、入力映像の表示領域内に温度異常を表す警告アイコンを表示させる（ステップＳ１２）。具体的には、ＯＳＤ画像である警告アイコンを映像信号に重畳させる。したがって、投影画像は図３（ｂ）の状態から図３（ｃ）に変化する。この後、ステップＳ７に戻る。
【００３２】
上記ステップＳ９において、検出温度Ｔｂが閾値ＴＨｂ２未満であると判別した場合には、温度異常状態が回避されたと判別し、警告メッセージを消去するとともに（ステップＳ１３）、映像サイズを元に戻す（ステップＳ１４）。また、警告アイコンが表示されていれば、警告アイコンを消去する（ステップＳ１５）。そして、ステップＳ１に戻る。
【００３３】
なお、温度異常通知処理を行なっている場合に、温度センサ２１の検出温度が所定の閾値ＴＨＡ１以上になったとき、または温度センサ２２の検出温度が所定の閾値ＴＨＢ１以上になったときには、光源ランプ１２が強制的に消灯せしめられるとともに、温度異常通知処理も強制的に終了せしめられる。
【００３４】
図４は、マイコン１０によって行なわれるランプ交換時期通知処理の手順を示している。
【００３５】
まず、ランプ交換時期に達しているか否かを判別する（ステップＳ２１）。ランプ交換時期に達している場合には、１画面分の映像表示領域よりも入力映像の表示領域が小さくなるように入力映像のサイズを縮小するとともに（ステップＳ２２）、ランプ交換を促すメッセージを入力映像の表示領域と重ならないように投影画像として表示させる（ステップＳ２３）。具体的には、縮小後の入力映像の表示領域と重ならないようにＯＳＤ画像であるランプ交換を促す警告メッセージを映像信号に重畳させる。したがって、投影画像は、図５（ａ）の状態から図５（ｂ）の状態に変化する。
【００３６】
この後、一定期間が経過すると（ステップＳ２４）、ランプ交換を促すメッセージを消去するとともに（ステップＳ２５）、映像サイズを元に戻した後（ステップＳ２６）、入力映像の表示領域内にランプ交換を促すアイコンを表示させる（ステップＳ２７）。具体的には、ＯＳＤ画像であるアイコンを映像信号に重畳させる。したがって、投影画像は、図５（ｂ）の状態から図５（ｃ）の状態に変化する。
【図面の簡単な説明】
【００３７】
【図１】液晶プロジェクタの構成を示すブロック図である。
【図２】マイコン１０によって行なわれる温度異常通知処理の手順を示すフローチャートである。
【図３】図２の温度異常通知処理による投影画像の変化を示す模式図である。
【図４】マイコン１０によって行なわれるランプ交換時期通知処理の手順を示すフローチャートである。
【図５】図４のランプ交換時期通知処理による投影画像の変化を示す模式図である。
【符号の説明】
【００３８】
１  映像信号処理回路
２  ＯＳＤ発生回路
３  ライトバルブ（液晶パネル）
１０  マイコン
１１  ランプドライバ
１２  光源ランプ
２１、２２  温度センサ
【図１】
0004827448.tif 000002
【図２】
0004827448.tif 000003
【図３】
0004827448.tif 000004
【図４】
0004827448.tif 000005
【図５】
0004827448.tif 000006